(57)【要約】【課題】公知技術では、商品が収納されている容器が有人の管理環境下にあれば劣化商品を発見し、区分けすることができるが、無人状態で放置された場合や、保管環境制御装置がない状況下での品質変化を発見することはできない。【解決手段】商品に添付されて、商品が保管された環境データを記録する記録媒体において、前記記録媒体は、少なくとも、外部装置から無線による前記商品の保管条件についての質問を受信する受信部と前記記録媒体の記憶部に記憶された商品の保管条件データを無線により外部装置に送信する送信部を備え、前記記録媒体が外部装置から前記保管環境データを無線で受信可能な場合は、前記受信部によって受信して前記記録媒体の記録部に記録し、かつ、記録媒体の一部として前記商品に添付された保管環境を逸脱した場合に不可逆に変化する表示手段によって表示する。【選択図】　図１
2004018253.tif 000002
【特許請求の範囲】
【請求項１】
商品に添付されて、商品が保管された環境データを記録する記録媒体において、
前記記録媒体は、少なくとも、外部装置から無線による前記商品の保管条件についての質問を受信する受信部と前記記録媒体の記憶部に記憶された商品の保管条件データを無線により外部装置に送信する送信部を備え、
前記記録媒体が外部装置から前記保管環境データを無線で受信可能な場合は、前記受信部によって受信して前記記録媒体の記録部に記録し、かつ、記録媒体の一部として前記商品に添付された保管環境を逸脱した場合に不可逆に変化する表示手段によって表示することを特徴とする保管環境データ記録媒体。
【請求項２】
前記記録媒体は非接触ＩＣタグであり、前記表示手段は、温度、湿度、気圧、振動、紫外線照射、外気に含まれるガスなどの保管環境の条件を逸脱した場合に不可逆に変化する表示材料であることを特徴とする請求項１に記載の保管環境データ記録媒体。
【請求項３】
前記非接触ＩＣタグは、保管環境の変化を感知するセンサーを備え、保管環境が保管条件を逸脱した場合は逸脱した保管環境データを自ら前記非接触ＩＣタグのＩＣ記録部に記録することを特徴とする請求項２に記載の保管環境データ記録媒体。
【請求項４】
外部装置の読取り手段は、商品に定められた保管条件を保管環境データ記録媒体のＩＣ記録部から無線で読み取り、前記定められた保管条件から逸脱した保管環境データを無線書込み手段によって前記保管環境データ記録媒体の記録部に記録し、前記保管環境データ記録媒体が外部装置から保管環境データを受信不能な場合は、記録媒体の一部として前記商品に添付された不可逆性の表示手段によって、定められた保管条件から逸脱した結果を表示する請求項１〜３に記載の保管環境データ記録媒体を使った保管環境管理システム。
【請求項５】
前記ＩＣタグの記録部に記録される逸脱した保管環境データには、少なくとも日付及び時間を表すデータが含まれていることを特徴とする請求項４に記載の保管環境データ記録媒体を使った保管環境管理システム。
【発明の詳細な説明】
【０００１】
【発明の属する技術分野】
保管される温度、湿度、気圧、振動、紫外線照射、外気に含まれるガスなどにより影響を受ける商品の管理媒体及びそれを使用するシステムに関する。
【０００２】
【従来の技術】
近年、商品を輸送する場合に、商品が劣化しないように、商品を収納する場所を商品に合わせた輸送環境に整えて輸送する。
例えば、冷凍食品は、冷凍車に、ビール、ジュース等の清涼飲料は適温にコントロールされた輸送車に積載されて輸送される。
また、お茶、海苔等の食品、紙等の工業製品は、湿度がコントロールされた輸送車で輸送される。
また、振動、紫外線照射、外気に含まれるガスなどの保管環境によって、品質が劣化する製品は、前記保管環境が予め決められた条件を逸脱しないように配慮される。
【０００３】
上記輸送条件制御に関しては、特開２００１−５９３７号公報、特開２００１−１４５０４号公報で関連する技術が開示されている。
特開２００１−５９３７号公報で開示されている技術は、商品を収容する収容容器に添付された非接触媒体に品物の保管環境データを収集させ、保管環境を制御する役目を担った外部装置に収集したデータを無線で送信するものである。
また、特開２００１−１４５０４号公報で開示されている技術は、商品を収容する収容容器に添付された非接触媒体に、品物の保管環境データを収集させ、収集した環境データを外部装置を経由してホストコンピュータに送信し、商品の劣化状態を判定記憶させるものである。
【０００４】
【発明が解決しようとする課題】
特開２００１−５９３７号公報開示技術では、商品が収納されている容器が有人の管理環境下にあれば商品の劣化に気が付いて事前に劣化商品を発見し、区分けすることができるが、無人状態で放置された商品の劣化に対しては対応できない。
また、特開２００１−１４５０４号公報開示技術では、例えば、製品が店頭に陳列されている場合など、外部装置がない状況下での品質変化を発見することはできない。
【０００５】
【課題を解決するための手段】
前記課題を解決するために、本発明の保管環境データ記録媒体の請求項１に記載の発明は、商品に添付されて、商品が保管された環境データを記録する記録媒体において、前記記録媒体は、少なくとも、外部装置から無線による前記商品の保管条件についての質問を受信する受信部と前記記録媒体の記憶部に記憶された商品の保管条件データを無線により外部装置に送信する送信部を備え、前記記録媒体が外部装置から前記保管環境データを無線で受信可能な場合は、前記受信部によって受信して前記記録媒体の記録部に記録し、かつ、記録媒体の一部として前記商品に添付された保管環境を逸脱した場合に不可逆に変化する表示手段によって表示することを特徴とするものである。
【０００６】
請求項２に記載の発明は、請求項１に記載の発明において、記録媒体は非接触ＩＣタグであり、表示手段は温度、湿度、気圧、振動、紫外線照射、外気に含まれるガスなどの保管環境の条件を逸脱した場合に不可逆に変化する表示材料であることを特徴とするものである。
【０００７】
請求項３に記載の発明は、請求項２に記載の発明において、非接触ＩＣタグは、保管環境の変化を感知するセンサーを備え、保管環境が保管条件を逸脱した場合は逸脱した保管環境データを自ら前記非接触ＩＣタグのＩＣ記録部に記録することを特徴とするものである。
【０００８】
請求項４に記載の発明の、保管環境データ記録媒体を使った保管環境管理システムは、請求項１〜３に記載の発明を使った保管環境管理システムにおいて、外部装置の読取り手段は、商品に定められた保管条件を保管環境データ記録媒体のＩＣ記録部から無線で読み取り、前記定められた保管条件から逸脱した保管環境データを無線書込み手段によって前記保管環境データ記録媒体の記録部に記録し、前記保管環境データ記録媒体が外部装置から保管環境データを受信不能な場合は、記録媒体の一部として前記商品に添付された不可逆性の表示手段によって、定められた保管条件から逸脱した結果を表示することを特徴とするものである。
【０００９】
請求項５に記載の発明は、請求項４に記載の発明において、ＩＣタグの記録部に記録される逸脱した保管環境データには、少なくとも日付及び時間を表すデータが含まれていることを特徴とするものである。
【００１０】
【発明の実施の形態】
以下、図面を参照して本発明の保管環境データ記録媒体及びこれを使った保管環境管理システムについて説明する。
以下の説明では、保管環境管理の対象を温度とし、温度管理を主体として説明する。
図１は、本発明の保管環境データ記録媒体が貼付された商品を輸送手段で輸送している状態の説明図、図２は、本発明の保管環境データ記録媒体の一実施形態についての説明図、図３は、輸送過程の一実施形態についての説明図、図４は、データ記録媒体であるＩＣチップのメモリの書き込みフォーマットの一実施形態についての説明図、図５は、センサー付きデータ記録媒体の一実施形態についての説明図、図６は、非接触ＩＣタグの一実施形態についての説明図、図７は、非接触タグの他の実施形態についての説明図、図８は、本発明の保管環境データ記録媒体を使った保管環境管理手順についての説明図、図９は、商品の保管温度変化と、保管環境データ記録媒体へのデータ記録の一実施例についての説明図、である。
【００１１】
図１を参照して保存条件が設定されている商品を輸送する場合の輸送手段について説明する。
保存条件が設定されている商品の例として、牛乳、鮮魚、野菜、生花などが挙げられる。これらの商品は、商店においても、適温に調節されたショウケースに収納されて販売される。また、消費者が購入した後は、家庭の冷蔵庫の中に保管される。
輸送手段４の多くは、キャビネット型の輸送手段を使用し、収納ボックスの中には、温度調整のためのセンサが取り付けられ、図示していないが、キャビネット内の温度を一定に保つ冷房装置を備えている。
商品は、商品の１個１個に対し平均して冷気が伝わるように空間を設けて積載されている。
厳密には、商品毎に最適な保管環境条件が存在するが、家庭の冷蔵庫に収納される時は他の商品と一緒にされ、輸送される際も類似の保管条件の商品と混載で輸送されることから、保管条件を設定する場合は、最も低い温度に保管されなければならない商品に合わせて設定されている。したがってその範囲内の条件で輸送されれば良いことになっている。
【００１２】
図１において、搭載されている商品３が乳製品の場合は、貼付されているラベルには、摂氏１０度以下で保存するように明示されている。
本発明の場合のように、保管環境データが商品に添付されている非接触タグなど、保管環境データ記録媒体１に記録されている場合には、保管環境データ受信装置４１で確認して、輸送手段の環境設定装置によって自動的に室内の温度を設定することができる。
【００１３】
保管環境データ送受信装置４１は、室内の空調装置とは独立して動作をするようになっており、室温が規定の温度を逸脱した場合に、警告を発し、その条件が一定時間継続した場合に、警告が発生された時間と、その後、例えば、１０分〜３０分毎にデータ信号を発生するように設定されている。
警告が発生された場合、商品に貼付された保管環境データ記録媒体１のデータ記録エリアには、例えば、１０分毎に１ビット単位の記録が行われる。例えば、記録が始まった時間が記録されて、データ記録エリアに１２ビットの記録が行われていた場合は、商品が保管条件から外れた環境下に１２０分曝されたことが解るようになっている。このことは、図３、図４、図５で詳細に説明する。
【００１４】
図２を参照して保管環境データ記録媒体１について説明する。
保管環境データ記録媒体１の基材には、紙、またはプラスチック、または木材などが使用され、商品に貼付されたり、単独で商品の近くに置かれて使用される。
商品情報記入欄１４は、商品情報を直接手書きしても良いし、別に用意したラベルを貼付しても良い。商品情報記入欄１４には、商品の名称、内容物の成分表示、容量、製造年月日、賞味期限、保存条件などが表示される。
これらの表示は、商品の容器に直接表示される場合もあり、その場合は、当該ラベルには、ラベルの取扱いに関する情報等が印刷されている。
【００１５】
図２に示す保管環境データ記録媒体１の表面（接着剤と逆側）には、不可逆に変化する表示材料１２、１３が形成されている。
不可逆に変化する表示材料１２は、保管環境が制限条件の下限以下になった場合に不可逆に指示を発する材料で、例えば、不可逆に変化する表示材料１３は、例えば保管環境が制限条件の上限以上になった場合に不可逆に指示を発する材料である。１２と、１３は入れ替わっても良い。
保管環境として下限が設けられる場合は、温度管理の例では、摂氏０度以下になった場合に商品が凍ってしまい、内容が変質してしまう場合などである。
輸送する側との契約で不可逆に変化する表示材料を上限下限両方にするか、上限だけにするかを決定する。
【００１６】
温度センサーとしての示温材料には示温顔料が多く使用される。
示温顔料には、ある温度になると色が変色し、元の温度に戻ると元の色に戻る可逆型と、元の温度に戻っても変色したまま変らない、不可逆型がある。発色原理には、固相反応、熱分解、脱水、電子供与体受容体の電子授受、結晶構造の変化などを利用している。
湿度の変化に関しても温度の検知と同様、変色による検知方法が一般的で、各種の材料が市販されている。また、気圧、振動、紫外線照射、外気に含まれる各種ガス等に対してもそれぞれに検知センサーが用意されている。
【００１７】
図２に示す保管環境データ記録媒体１の裏面（接着剤側）には、保管環境データ記録媒体２（または１１、または１１０）が組み込まれている。
保管環境データ記録媒体１の基材に表示される商品情報表示部や、不可逆に変化する表示材料は、裏面では都合が悪いために表面に形成されている。前記保管環境データ記録媒体１もスペースがあれば表面に形成されていても良い。
保管環境データ記録媒体２（または１１、または１１０）に関しては、図５、図６、図７で詳細に説明する。
【００１８】
図３を参照して、送品が出荷され、最終地点まで輸送される場合について説明する。
商品３は、Ａ図に示す工場３０から輸送手段４に搭載されて出荷される。
輸送手段４のキャビネットの内部には温度センサが設置されており、決められた時間毎に室内の温度が測定され、設定された温度を逸脱すると運転者に警報で知らせるようになっている。
温度管理されて輸送される商品３は、Ｃ図に示すように、輸送途中の中間集積所としての倉庫３１に一旦降ろされる。倉庫は、温度管理された倉庫となっているが、出入り口の扉が開いたままになっていると、倉庫内の温度が上がってしまう場合がある。そのためにこの倉庫には、保管環境データ記録媒体１に環境データを記録する装置が取り付けてある。
Ｄ図のように、商品引き取りのため前記とは別の輸送手段が倉庫３１に立ち寄り、商品を運び出してＥ図の商店３００に商品を配達する。
【００１９】
図４を参照して保管環境データ記録媒体１のＩＣチップの記録部について説明する。
ＩＣチップの記録部は、書き替え不能なタイプのメモリとする場合と、電気的に書き替え可能なタイプのメモリとする場合がある。書き替え不能なタイプのメモリとする場合は、保管環境データ記録媒体１が回収できないシステムの場合に適用されることが多い。
図４の実施形態の場合は、ＩＣチップを安価にするために、単なるメモリチップのみとした場合である。即ち、簡単なプログラム回路が組み込まれ、残りの部分は１レコード３２ビットの記録部が４レコード設けてあるだけのＩＣタグである。即ち、記録エリアの容量が１２８ビットのチップである。
【００２０】
ここで説明する実施形態は、制限値を逸脱した場合に、“日”、“時”を書き込むシステムである。“年”、“月”は、商品の目視情報として記録されているために、内容劣化の有無をチェックするためのデータとして、必要かつ最小の情報に限定している。したがって、日付情報は、１桁目、Ｒ１０１から、Ｒ１０６までの６ビットで表現する。また、時間情報は、時、分まで記録するために、最低１２ビット必要でＲ１０７から、Ｒ１１９まで使用し、Ｒ１２０以降は、１０分毎に１ビットづつ書き込んで行くと、１レコード合計で１２０分まで記録できる。間隔を２０分とすると４時間、３０分とすると６時間分書き込むことができる。
途中日付情報を書き直すことが有っても、４回記録することができる。
また、１と２レコードの記録部を繋げて使用すれば３０分毎のデータとして２２時間の記録が可能で、４レコード使用した場合少なくとも４４時間の記録が可能となり、中身の劣化は確実なものとなり目的は達せられる。
以上のことから、ＩＣチップとしては記録部の容量が１２８ビットでも、利用可能であることが分る。
【００２１】
複数の同一商品を纏めて輸送する場合は、輸送される全商品に保管環境データ記録媒体を貼付しなくても、環境データの平均値が採取可能な場所に保管環境データ記録媒体を１個置くことによって保管環境データ記録媒体費用を節約することも可能である。
またこの場合に以下に説明する繰り返し使用できる保管環境データ記録媒体を使用することも可能で、より経費の節約に繋げることが可能になる。
但しこれら何れの場合でも、不可逆に変化する表示材料は使い捨てになる。
【００２２】
図５を参照して自らセンサーを備えた保管環境データ記録媒体２について説明する。
前述したように、保管環境データ記録媒体は、環境データを送信する記録装置が作動している場合には有効であるが、記録装置が作動しなかったり、誤って記録装置がない場所に商品が保管された場合を考慮して、不可逆に変化する表示材料の併用は必須となる。
【００２３】
図５において、自らセンサーを備えた保管環境データ記録媒体２は、センサー２１を備え、自ら記録したり、送信するための電源２２を内蔵している。
センサーには、温度センサー、気圧センサー、湿度センサーなどがある。
前述したように、制限条件を逸脱した場合に、センサーが作動し、記録開始の時間データが必要なために、タイマー２６を内蔵する。
ここでは、センサーに関しては、温度センサーの場合で説明する。センサーが逸脱した温度を検知するとスイッチが働き、電源をオンにし、ＡＤ変換回路２３を経由してＣＰＵ２４に対して温度情報を送信する。
また、ＣＰＵ２４はタイマーから時間情報を読み出し、メモリ２５に逸脱した温度情報と温度情報に紐付けされた時間情報を記録する。
【００２４】
外部装置からの問い合わせによってメモリに記録された温度逸脱情報を送信する場合は、アンテナ２８で情報を受信し、メモリから保管環境データを読み出して発信回路２７によって外部装置に送信する。
図５に示すような保管環境データ記録媒体は、電源、ＣＰＵを内蔵し、メモリも書き替え可能なタイプとすることが多く、記録媒体の費用も高額となるために繰り返し使用する対象として適している。
【００２５】
図６、図７を参照して、一般に利用されている非接触ＩＣタグについて説明する。図６、図７に示す実施形態は、図５で説明した情報記録媒体と比較すると構造が単純で、そのために多くは使い捨てにされる対象として利用される。
図６において、非接触ＩＣタグ１１は、ポリエステルなどの支持基材１１３上に形成された金属箔または導電性の印刷インキで形成されたアンテナ１１２に、ＩＣチップ１１１が接続されている。
また、図７の非接触ＩＣタグ１１０は、プラスチックや紙の支持基材１１３０の上に、印刷などの方法によってアンテナ１１２０が形成され、２つに分れたアンテナの間にＩＣチップ１１１０が接続されている。
アンテナ１１２０の印刷に使用するインキの条件として、印刷インキにカーボン等を混入し導電性を付与させる必要があり、印刷された乾燥皮膜の状態で表面抵抗率を３００Ω以下、好ましくは１００Ω程度とする。
アンテナ１１２０と、ＩＣチップ１１１０は、導電性接着剤（図示せず）を介して固定されている。
【００２６】
図６、図７に示す非接触ＩＣタグ（１１、１１０）に使用されるＩＣチップ（１１１、１１１０）の回路部分には、プログラム領域とメモリ領域があり、メモリ領域としては、３２〜８００ｂｉｔ程度のものが多用される。
また、チップの大きさは一辺の長さが０．５ｍｍ〜５ｍｍの正方形または、長方形のものが多く使用される。
【００２７】
図８を参照して本発明の保管環境データ記録媒体を使った保管環境管理システムの管理手順について説明する。
輸送者は輸送手段であるコンテナ車の環境調節装置を点検する（Ｓ６０１）。次に、輸送商品を確認（Ｓ６０２）、輸送手段に積載する保管環境データ記録媒体を確認する（Ｓ６０３）。
製造を終えた商品中、輸送の対象となる商品（３）、点検済みの保管環境データ記録媒体（１）を輸送手段に積み込む（Ｓ６０４）。
輸送者は目的地に向けて輸送を開始（Ｓ６０５）し、輸送最終地点で商品を積み下ろす（Ｓ６０６）。輸送者は、保管環境データ読取り装置により、保管環境データ記録媒体のＩＣチップに記録された保管環境データを読み取る（Ｓ６０７）。次いで、保管環境データ記録媒体に貼付されている不可逆に変化する表示材料を確認する（Ｓ６０８）。ステップ６０７で“ＯＫ”でも、ステップ６０８で“ＮＯ”の場合は“Ｃ”に進み、輸送した商品の劣化の有無を検査するために全商品を回収する。
ステップ６０８で“ＯＫ”の場合は、輸送作業終了とする。
【００２８】
（実施例１）
図２を参照して本発明の保管環境データ記録媒体の一実施例について説明する。
１１６ｇ／ｍ２の厚紙を葉書の大きさに裁断し、その片側に図７に示す非接触ＩＣタグを貼付し、逆面には示温材料を貼付した。非接触ＩＣタグを作製するために、５ｃｍ×１０ｃｍの大きさに裁断した２５μｍの厚さのポリエステルフィルムベースにまずアンテナを形成した。
アンテナは、印刷された乾燥皮膜の状態で表面抵抗率を１００Ωとなるように導電性のインキを調整し、シルクスクリーン方式で２つの扇パターンを印刷した。さらに、導電性の接着剤によってＩＣチップのアンテナ接続端子とアンテナを接続した。
ＩＣチップは、モトローラ社製の静電結合型ＩＣチップ“Ｂｉｓｔａｔｉｘ”（８００ビット書き替え可能型ＩＣチップ）を使用した。
示温材料は、下限温度チェック材料としてＣＴ５Ｃ―Ｄ（摂氏５度±１．５度用）を使用し、上限温度チェック材料として前記材料と同一のメーカー（ＮＫボトラーズ社製ＣｏｌｄＳＮＡＰシリーズの製品）製品でＣＴ２５Ｃ―Ａ（摂氏２５度±１．５度用）を使用した。
【００２９】
（実施例２）
実施例１で作製した保管環境データ記録媒体を牛乳パックに添付して恒温室に保管し、図３に示す経路で輸送したとの想定で、恒温室の温度を変化させた。
保管環境データ記録媒体は、水濡れしないように牛乳パック２０個の外側にポリエステルの透明フィルムに挟んでポリプロピレンの紐で固定した。
恒温室に対し、図９に示すような温度変化を与えた。また、非接触ＩＣタグには恒温室の温度変化に連動した保管環境データを送信装置から送信しＩＣチップに記録するようにした。
図９において、縦軸は温度（摂氏）で、横軸は時間である。
時間Ｈ０に、恒温室に牛乳パックを入れて扉を閉め、時間Ｈ１まで温度Ｔ１に保った。時間Ｈ１から徐々に温度を上げ、恒温室の内部の温度は時間Ｈ２でＴ２となった。
温度Ｔ２は、牛乳パックが保管される温度として上限の温度で、この時点で前記送信装置はＩＣチップに時間のデータを送信した。時間Ｈ２から３０分後の時間Ｈ２１に１ビットの記録信号を送信した。更に３０分後の時間Ｈ２２にやはり１ビットの記録信号を送信した。この時に恒温室内の温度は、Ｔ３になった。それから約２１時間後の時間Ｈ３で温度Ｔ３から徐々に温度を下げて、時間Ｈ４で、温度をＴ１とし、想定実験を終了した。
実験後、牛乳パックと保管環境データ記録媒体を恒温室から取り出し、保管環境データ記録媒体のＩＣチップに記録されたデータを読取り図９の温度推移を確認した。また、示温材料のＣＴ２５Ｃ―Ａは橙色から赤色に変色していた。
【００３０】
【発明の効果】
本発明の、保管環境データ記録媒体を使った保管環境管理システムによれば、ＩＣ記録装置が設備されている場合には、ＩＣ記録装置によって製品に添付された非接触ＩＣタグの記録部に保管環境データが記録され、また、保管環境が一定条件を逸脱する直前にフィードバック制御、例えば、温度の場合は、温度を下げることで品質の劣化を防ぐことができる。前記設備が無い場所の保管環境データは、添付されている不可逆型の表示材料の変化、例えば、変色の有無によって商品が制御された一定の環境下で保管、または、陳列されていたか否か、が判り、変色が無ければ品質の劣化がないことを保証することができる。
また、前記コントローラ及び、ＩＣ記録装置が故障した場合でも不可逆型の表示材料によって商品の劣化をつきとめることができる。
【図面の簡単な説明】
【図１】本発明の保管環境データ記録媒体が貼付された商品を輸送手段で輸送している状態の説明図
【図２】本発明の保管環境データ記録媒体の一実施形態についての説明図
【図３】輸送過程の一実施形態についての説明図
【図４】データ記録媒体であるＩＣチップのメモリの書き込みフォーマットの一実施形態についての説明図
【図５】センサー付きデータ記録媒体の一実施形態についての説明図
【図６】非接触ＩＣタグの一実施形態についての説明図
【図７】非接触タグの他の実施形態についての説明図
【図８】本発明の保管環境データ記録媒体を使った保管環境管理手順についての説明図
【図９】商品の保管温度変化と、保管環境データ記録媒体へのデータ記録の一実施例についての説明図
【符号の説明】
１　　　本発明の保管環境データ記録媒体を貼付した商品表示ラベル
２　　　保管環境データ記録媒体
３　　　商品
４　　　輸送手段
１１、１１０　非接触ＩＣタグの一例
１２、１３　不可逆に変化する表示材料
１４　　商品情報表示部
２１　　センサー
２２　　電源
２３　　ＡＤ変換回路
２４　　ＣＰＵ
２５　　メモリ
２６　　タイマー
２７　　発信回路
２８　　アンテナ
３０　　工場
３１　　倉庫
４１　　保管環境データ送受信装置
１１１、１１１０　ＩＣチップ
１１２、１１２０　アンテナ
１１３、１１３０　支持基材
３００　販売店
４１１　送受信データ
【図１】
2004018253.tif 000003
【図２】
2004018253.tif 000004
【図３】
2004018253.tif 000005
【図４】
2004018253.tif 000006
【図５】
2004018253.tif 000007
【図６】
2004018253.tif 000008
【図７】
2004018253.tif 000009
【図８】
2004018253.tif 000010
【図９】
2004018253.tif 000011